【手続補正書】
【提出日】平成18年10月12日(2006.10.12)
【手続補正１】
【補正対象書類名】特許請求の範囲
【補正対象項目名】全文
【補正方法】変更
【補正の内容】
【特許請求の範囲】
【請求項１】
低コストの操向可能なフェイズドアレイアンテナであって、
誘電体シートと、
前記誘電体シートの表面上に位置する複数のアンテナ素子と、
前記誘電体シートの表面上に配置され前記複数のアンテナ素子に接続された給電回路であって、前記給電回路は複数の移相伝送線路を含み、前記複数のアンテナ素子と前記給電回路は前記誘電体シートの同一表面上に位置していることと、
前記給電回路の前記複数の移相伝送線路の上方に位置する高誘電率誘電体素子と、
前記高誘電率誘電体素子の誘電率の前記給電回路の前記複数の移相伝送線路に対する相互作用を制御するコントローラと、
前記誘電体シートのもう一方の表面上に配置された第２の複数のアンテナ素子および第２の給電回路であって、前記第２の給電回路は前記第２の複数のアンテナ素子に接続され、前記第２の給電回路は複数の移相伝送線路を含むことと、
前記第２の給電回路の前記複数の移相伝送線路の上方に位置する第２の高誘電率誘電体素子であって、前記コントローラは、前記第２の高誘電率誘電体素子の誘電率の前記第２の給電回路の前記複数の移相伝送線路に対する相互作用を制御することと、
を備えることを特徴とする低コストの操向可能なフェイズドアレイアンテナ。
【請求項２】
低コストの操向可能なフェイズドアレイアンテナであって、
複数のアンテナ素子と、
複数の移相伝送線路を含み、前記アンテナ素子に接続された給電回路と、
前記給電回路の前記複数の移相伝送線路の上方に位置する高誘電率誘電体平面層であって、前記高誘電率誘電体平面層は高誘電率誘電体材料を含み、自己支持層であることと、
前記高誘電率誘電体平面層を前記移相伝送線路に向かっておよび前記移相伝送路から離れて移動させて、前記給電回路の前記複数の移相伝送線路に対する前記高誘電率誘電体平面層の位置を制御することによって、前記高誘電率誘電体素子の誘電率の前記複数の移相伝送線路に対する相互作用を制御する電気機械システムを含むコントローラと、
を備えることを特徴とする低コストの操向可能なフェイズドアレイアンテナ。
【請求項３】
低コストの操向可能なフェイズドアレイアンテナであって、
複数のアンテナ素子と、
複数の移相伝送線路を含み、前記アンテナ素子に接続された給電回路と、
前記給電回路の前記複数の移相伝送線路の上方に位置する高誘電率誘電体素子層であって、前記高誘電率誘電体素子は、高誘電率誘電体材料を含む円柱であることと、
前記円柱の軸からオフセットされた軸に沿って前記円柱を回転させて、前記給電回路の前記複数の移相伝送線路に対する前記円柱の位置を制御することによって、前記高誘電率誘電体素子の誘電率の前記複数の移相伝送線路に対する相互作用を制御する電気機械システムを含むコントローラと、
を備えることを特徴とする低コストの操向可能なフェイズドアレイアンテナ。
【請求項４】
低コストの操向可能なフェイズドアレイアンテナであって、
８つのアンテナ素子と、
複数の移相伝送線路を含み、前記アンテナ素子に接続された給電回路であって、前記複数の移送伝送路は、１つの長い移相伝送線路と、２つの中間の長さの移相伝送線路と、４つの短い移相伝送線路とを含み、
前記給電回路の前記複数の移相伝送路の上方に位置する高誘電率誘電体素子と、
前記高誘電率誘電体素子の誘電率の前記給電回路の前記複数の移相伝送線路に対する相互作用を制御するコントローラと、
を備えること特徴とする低コストの操向可能なフェイズドアレイアンテナ。
【請求項５】
前記中間の長さの移相伝送線路の長さは、前記長い移相伝送線路の長さの１／２であり、前記短い移相伝送線路の長さは、前記中間の長さの移相伝送線路の長さの１／２であることを特徴とする請求項４に記載の低コストの操向可能なフェイズドアレイアンテナ。
【請求項６】
前記短い移相伝送線路は同軸上に配列され、前記中間の長さの移相伝送線路も同軸上に配列され、前記長い移相伝送線路、前記中間の長さの移相伝送線路、および前記短い移相伝送線路は互いに平行に配置されることを特徴とする請求項５に記載の低コストの操向可能なフェイズドアレイアンテナ。
【請求項７】
前記長い移相伝送線路は、前記アンテナ素子のうちの１つ、前記中間の長さの移相伝送線路のうちの１つ、および前記短い移相伝送線路のうちの１つに接続され、
前記短い移相伝送線路のうちの前記１つは、前記アンテナ素子のうちの他の１つに接続され、
前記中間の長さの移相伝送線路のうちの前記１つは、前記アンテナ素子のうちのさらに他の１つおよび前記短い移相伝送線路のうちの第２の短い移相伝送線路に接続され、
前記短い移相伝送線路のうちの前記第２の短い移相伝送線路は、前記アンテナ素子のうちのさらに他の１つに接続され、
前記中間の長さの移相伝送線路のうちの前記第２の中間の長さの移相伝送線路は、前記アンテナ素子のうちのさらに他の１つおよび前記短い移相伝送線路のうちの第３の短い移相伝送線路に接続され、
前記短い移相伝送線路のうちの前記第３の短い移相伝送線路は、さらに他のアンテナ素子に接続され、
前記第４の移相伝送線路は、前記アンテナ素子のうちのさらに他のアンテナ素子に接続され、
前記長い移相伝送線路、前記中間の長さの移相伝送線路のうちの前記第２の中間の長さの移相伝送線路、および前記短い移相伝送線路のうちの前記第４の短い移相伝送線路は、端子および前記８つのアンテナ素子のうちの残り１つに接続されることを特徴とする請求項６に記載の低コストの操向可能なフェイズドアレイアンテナ。
【請求項８】
低コストの操向可能な３６０°フェイズドアレイアンテナであって、
ａ）Ｌ字型筐体と、
ｂ）４つのリニアフェイズドアレイアンテナであって、前記アンテナのうちの２つは反対方向を指向するように前記Ｌ字型筐体の各脚内に取り付けられ、前記リニアフェイズドアレイアンテナのそれぞれは、
ｉ）誘電体シートと、
ｉｉ）前記誘電体シートの表面上に配置されている複数のアンテナ素子と、
ｉｉｉ）複数の移相伝送線路を含み、前記誘電体シートの表面上に配置されており、前記アンテナ素子に接続された給電回路と、
ｉｖ）前記給電回路の前記複数の移相伝送線路の上方に位置する高誘電率誘電体素子と、を備えることと、
ｃ）前記高誘電率誘電体素子の誘電率の、前記高誘電率誘電体素子が上方に位置する前記給電回路の前記複数の移相伝送線路との相互作用を制御するコントローラと、
を備えることを特徴とする低コストの操向可能な３６０°フェイズドアレイアンテナ。
【請求項９】
前記複数のアンテナ素子および前記給電回路は、前記誘電体シートの同じ表面上に配置されることを特徴とする請求項８に記載の低コストの操向可能な３６０°フェイズドアレイアンテナ。
【請求項１０】
前記誘電体シートは、前記Ｌ字型筐体の同じ１つの前記脚の中にある前記リニアフェイズドアレイアンテナに対して、共通であることを特徴とする請求項９に記載の低コストの操向可能な３６０°フェイズドアレイアンテナ。
【請求項１１】
前記誘電体シートはプリント回路基板シートであり、前記複数のアンテナ素子および前記給電回路は、前記アンテナ素子および前記給電回路を前記プリント回路基板上に印刷することにより製作されることを特徴とする請求項８に記載の低コストの操向可能な３６０°フェイズドアレイアンテナ。
【請求項１２】
前記高誘電率誘電体素子は、ルチル（二酸化チタン）およびアルカリ土類金属を含有するルチルの化合物からなるグループから選択された材料で形成されることを特徴とする請求項８に記載の低コストの操向可能な３６０°フェイズドアレイアンテナ。
【請求項１３】
前記アルカリ土類金属は、バリウムおよびストロンチウムからなるグループから選択されることを特徴とする請求項１２に記載の低コストの操向可能な３６０°フェイズドアレイアンテナ。
【請求項１４】
前記給電回路の前記複数の移相伝送線路に対する前記高誘電率誘電体素子の誘電率の相互作用を制御する前記コントローラは、前記給電回路の前記複数の移相伝送線路に対する前記高誘電率誘電体素子の位置を制御する電気機械的システムを備えることを特徴とする請求項８に記載の低コストの操向可能な３６０°フェイズドアレイアンテナ。
【請求項１５】
前記高誘電率誘電体素子は、高誘電率誘電体を含む平面層であり、前記層を前記移相伝送線路に向けて移動することおよび前記移相伝送線路から遠ざけることにより、前記給電回路の前記複数の移相伝送線路に対して、前記層が位置決めされることを特徴とする請求項１４に記載の低コストの操向可能な３６０°フェイズドアレイアンテナ。
【請求項１６】
前記高誘電率誘電体層は、誘電体で形成される支持層および前記誘電体支持層上に取り付けられた複数のスラグを含むことを特徴とする請求項１５に記載の低コストの操向可能な３６０°フェイズドアレイアンテナ。
【請求項１７】
前記高誘電率誘電体層は、自己支持層であることを特徴とする請求項１５に記載の低コストの操向可能な３６０°フェイズドアレイアンテナ。
【請求項１８】
前記高誘電率誘電体素子は、高誘電率材料を含む円柱であり、前記円柱の軸からオフセットされた軸に沿って前記円柱を回転することにより、前記給電回路の前記複数の移相伝送線路に対して、前記円柱が位置決めされることを特徴とする請求項１４に記載の低コストの操向可能な３６０°フェイズドアレイアンテナ。
【請求項１９】
前記高誘電率誘電体素子は強誘電体で形成され、前記給電回路の前記複数の移相伝送線路に対する、前記高誘電率誘電体の誘電率の相互作用を制御する前記コントローラは、前記強誘電体に加えられる電気エネルギーを制御することを特徴とする請求項８に記載の低コストの操向可能な３６０°フェイズドアレイアンテナ。
【請求項２０】
前記複数のアンテナ素子は、８個の素子であり、前記複数の移相伝送線路は、１つの長い移相伝送線路と、２つの中間の長さの移相伝送線路と、４つの短い移相伝送線路とを備えることを特徴とする請求項８に記載の低コストの操向可能な３６０°フェイズドアレイアンテナ。
【請求項２１】
前記中間の長さの移相伝送線路の長さは、前記長い移相伝送線路の長さの１／２であり、前記短い移相伝送線路の長さは、前記中間の長さの移相伝送線路の長さの１／２であることを特徴とする請求項２０に記載の低コストの操向可能な３６０°フェイズドアレイアンテナ。
【請求項２２】
前記短い移相伝送線路は同軸上に配列され、前記中間の長さの移相伝送線路も同軸上に配列され、前記長い移相伝送線路、前記中間の長さの移相伝送線路、および前記短い移相伝送線路は互いに平行に配置されることを特徴とする請求項２１に記載の低コストの操向可能な３６０°フェイズドアレイアンテナ。
【請求項２３】
前記長い移相伝送線路は、前記アンテナ素子のうちの１つ、前記中間の長さの移相伝送線路のうちの１つ、および前記短い移相伝送線路のうちの１つに接続され、
前記短い移相伝送線路のうちの前記１つは、前記アンテナ素子のうちの他の１つに接続され、
前記中間の長さの移相伝送線路のうちの前記１つは、前記アンテナ素子のうちのさらに他の１つおよび前記短い移相伝送線路のうちの第２の短い移相伝送線路に接続され、
前記短い移相伝送線路のうちの前記第２の短い移相伝送線路は、前記アンテナ素子のうちのさらに他の１つに接続され、
前記中間の長さの移相伝送線路のうちの前記第２の中間の長さの移相伝送線路は、前記アンテナ素子のうちのさらに他の１つおよび前記短い移相伝送線路のうちの第３の短い移相伝送線路に接続され、
前記短い移相伝送線路のうちの前記第３の短い移相伝送線路は、さらに他のアンテナ素子に接続され、
前記第４の移相伝送線路は、前記アンテナ素子のうちのさらに他の素子に接続され、
前記長い移相伝送線路、前記中間の長さの移相伝送線路のうちの前記第２の中間の長さの移相伝送線路、および前記短い移相伝送線路のうちの前記第４の短い移相伝送線路は、端子および前記８つのアンテナ素子のうちの残り１つに接続されることを特徴とする請求項２２に記載の低コストの操向可能な３６０°フェイズドアレイアンテナ。
【請求項２４】
フェイズドアレイアンテナでの使用に適した低コストの給電回路であって、
複数の移相伝送線路と、
前記給電回路の前記複数の移相伝送線路の上方に位置する高誘電率誘電体平面層であって、前記高誘電率誘電体平面層は高誘電率誘電体材料を含み、前記高誘電率誘電体層は、自己支持層であることと、
前記高誘電率誘電体平面層を前記移相伝送線路に向かっておよび前記移相伝送路から離して移動させて、前記給電回路の前記複数の移相伝送線路に対する前記高誘電率誘電体平面層の位置を制御することによって、前記高誘電率誘電体素子の誘電率の前記複数の移相伝送線路に対する相互作用を制御する電気機械システムを含むコントローラと、
を備えることを特徴とする低コストの給電回路。
【請求項２５】
フェイズドアレイアンテナでの使用に適した低コストの給電回路であって、
複数の移相伝送線路と、
前記給電回路の前記複数の移相伝送線路の上方に位置する高誘電率誘電体素子層であって、前記高誘電率誘電体素子は、高誘電率誘電体材料を含む円柱であることと、
前記円柱の軸からオフセットされた軸に沿って前記円柱を回転させて、前記給電回路の前記複数の移相伝送線路に対する前記円柱の位置を制御することによって、前記高誘電率誘電体素子の誘電率の前記複数の移相伝送線路に対する相互作用を制御する電気機械システムを含むコントローラと、
を備えることを特徴とする低コストの給電回路。
【請求項２６】
フェイズドアレイアンテナでの使用に適した低コストの給電回路であって、
１つの長い移相伝送線路、２つの中間の長さの移相伝送線路、および４つの短い移相伝送線路を備える複数の移相伝送線路と、
前記複数の位相伝送線路の上方に位置する高誘電率誘電体素子と、
前記高誘電率誘電体素子の誘電率の前記複数の位相伝送線路に対する相互作用を制御するコントローラと、
を備えることを特徴とする低コストの給電回路。
【請求項２７】
前記中間の長さの移相伝送線路の長さは、前記長い移相伝送線路の長さの１／２であり、前記短い移相伝送線路の長さは、前記中間の長さの移相伝送線路の長さの１／２であることを特徴とする請求項２６に記載の低コストの給電回路。
【請求項２８】
前記短い移相伝送線路は同軸上に配列され、前記中間の長さの移相伝送線路も同軸上に配列され、前記長い移相伝送線路、前記中間の長さの移相伝送線路、および前記短い移相伝送線路は互いに平行に配置されることを特徴とする請求項２７に記載の低コストの給電回路。
【請求項２９】
前記長い移相伝送線路は、前記中間の長さの移相伝送線路のうちの１つおよび前記短い移相伝送線路のうちの１つに接続され、前記中間の長さの移相伝送線路のうちの前記１つは、前記短い移相伝送線路のうちの第２の短い移相伝送線路に接続され、前記中間の長さの移相伝送線路のうちの前記第２の中間の長さの移相伝送線路は、前記短い移相伝送線路のうちの第３の短い移相伝送線路に接続されることを特徴とする請求項２８に記載の低コストの給電回路。